(57)【要約】【課題】簡単に製造することができる電子部品を内蔵する筐体の防水構造を提供することを目的とする。【解決手段】電子部品を内蔵する筐体の防水構造であって、第１ケース、及び接着剤が塗布される溝を前記第１ケースに対向する面に有する第２ケースからなる筐体と、前記筐体に内蔵される電子部品と、を備え、前記第１ケースは、前記第２ケースに対向する面に、前記第１ケースと第２ケースとが取り付けられると、前記溝内に侵入して前記接着剤に接触する凸部を備えていることで上記課題を解決する。【選択図】図４
2014086644.tif 000002
【特許請求の範囲】
【請求項１】
第１ケース、及び接着剤が塗布される溝を前記第１ケースに対向する面に有する第２ケースからなる筐体と、
前記筐体に内蔵される電子部品と、を備え、
前記第１ケースは、前記第２ケースに対向する面に、前記第１ケースと第２ケースとが取り付けられると、前記溝内に侵入して前記接着剤に接触する凸部を
備えていることを特徴とする電子部品を内蔵する筐体の防水構造。
【請求項２】
前記凸部の前記溝内への侵入深さは、前記接着剤の塗布量が当該塗布量の変動幅の最小量であっても前記接着剤に接触可能な深さであることを特徴とする請求項１に記載の電子部品を内蔵する筐体の防水構造。
【請求項３】
前記溝は、前記第２ケースに設けられた外側壁と、前記外側壁よりも前記第２ケースの内側に設けられた内側壁との間に形成され、
前記内側壁は、前記外側壁よりも低いことを特徴とする請求項１または２に記載の電子部品を内蔵する筐体の防水構造。
【請求項４】
前記溝は、前記第２ケースに設けられた外側壁と、前記外側壁よりも前記第２ケースの内側に設けられた内側壁との間に形成され、
前記内側壁は、貫通孔が設けられていることを特徴とする請求項１または２に記載の電子部品を内蔵する筐体の防水構造。
【請求項５】
前記凸部の表面のうちの前記第１ケースの内側寄りの表面は、前記第１ケースの前記第２ケースに対向する面に近づくにしたがって徐々に前記第１ケースの内側に向かう方向に傾斜していることを特徴とする請求項１から４のいずれか一項に記載の電子部品を内蔵する筐体の防水構造。
【発明の詳細な説明】
【技術分野】
【０００１】
本発明は、電子部品を内蔵する筐体の防水構造に関する。
【背景技術】
【０００２】
携帯電話機、ＰＨＳ、携帯音楽プレーヤー等の携帯電子機器の中には、防水機能を備えるものがある。防水機能を備える携帯電話機は、フロントケースとリアケース等の２つ以上のケースを連結して電子機器を内蔵する筐体とする場合、ケースとケースとの間に防水パッキン（パッキング）を配置し、ケースとケースとの間を防水構造とする（特許文献１参照）。
【先行技術文献】
【特許文献】
【０００３】
【特許文献１】特開平１０−２８４８５５号公報
【発明の概要】
【発明が解決しようとする課題】
【０００４】
ここで、上記の防水構造は、一方のケースに溝を形成し、その溝に防水パッキンを挿入している。しかしながら、溝に防水パッキンを挿入する防水構造は、細長い溝に防水パッキンを埋め込む作業が必要となり製造時の手間となる。
【０００５】
本発明は、上記の事情に鑑みてなされたものであって、簡単に製造することができる電子部品を内蔵する筐体の防水構造を提供することを目的とする。
【課題を解決するための手段】
【０００６】
上述した課題を解決し、目的を達成するために、本発明に係る電子部品を内蔵する筐体の防水構造は、第１ケース、及び接着剤が塗布される溝を前記第１ケースに対向する面に有する第２ケースからなる筐体と、前記筐体に内蔵される電子部品と、を備え、前記第１ケースは、前記第２ケースに対向する面に、前記第１ケースと第２ケースとが取り付けられると、前記溝内に侵入して前記接着剤に接触する凸部を備えていることを特徴とする。
【０００７】
ここで、前記凸部の前記溝内への侵入深さは、前記接着剤の塗布量が当該塗布量の変動幅の最小量であっても前記接着剤に接触可能な深さであることが好ましい。
【０００８】
また、前記溝は、前記第２ケースに設けられた外側壁と、前記外側壁よりも前記第２ケースの内側に設けられた内側壁との間に形成され、前記内側壁は、前記外側壁よりも低いことが好ましい。
【０００９】
また、前記溝は、前記第２ケースに設けられた外側壁と、前記外側壁よりも前記第２ケースの内側に設けられた内側壁との間に形成され、前記内側壁は、貫通孔が設けられていることが好ましい。
【００１０】
また、前記凸部の表面のうちの前記第１ケースの内側寄りの表面は、前記第１ケースの前記第２ケースに対向する面に近づくにしたがって徐々に前記第１ケースの内側に向かう方向に傾斜していることが好ましい。
【発明の効果】
【００１１】
本発明に係る電子部品を内蔵する筐体の防水構造によれば、簡単に製造することができる、という効果を奏する。
【図面の簡単な説明】
【００１２】
【図１】図１は、実施形態１に係る携帯電子機器の概略構成を示す正面側からみた斜視図である。
【図２】図２は、実施形態１に係る携帯電子機器の概略構成を示す正面側からみた分解斜視図である。
【図３】図３は、図２に示す携帯電子機器の概略構成を背面側からみた分解斜視図である。
【図４】図４は、図２に示す携帯電子機器のフロントケースとリアケースの防水構造の概略構成を示す断面図である。
【図５】図５は、図４中のＩＶ部を拡大して示す断面図である。
【図６】図６は、実施形態２に係る携帯電子機器のフロントケースとリアケースの防水構造の概略構成を示す断面図である。
【図７】図７は、実施形態３に係る携帯電子機器のフロントケースとリアケースの防水構造の概略構成を示す断面図である。
【図８】図８は、実施形態４に係る携帯電子機器のフロントケースとリアケースの防水構造の概略構成を示す断面図である。
【図９】図９は、実施形態５に係る携帯電子機器のフロントケースとリアケースの防水構造の概略構成を示す断面図である。
【図１０】図１０は、撮像モジュールの分解斜視図である。
【図１１】図１１は、図１０に示された撮像モジュールの第１ケースと第２ケースとの接合部分の断面図である。
【図１２】図１２は、図１０に示された撮像モジュールの第１ケースと撮像窓との接合部分の断面図である。
【発明を実施するための形態】
【００１３】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。以下においては、携帯電子機器の一例としてＰＨＳ（Personal  Handy-phone  System）端末を取り上げるが、携帯電子機器はＰＨＳ端末に限定されるものではなく、例えば、携帯電話機、ＰＤＡ、ポータブルナビゲーション装置、ノートパソコン、ゲーム機等であってもよい。
【００１４】
［実施形態１］
本発明の実施形態１に係る電子部品を内蔵する筐体の防水構造の一例としてＰＨＳ（Personal  Handy-phone  System）端末等の携帯電子機器を、図面を参照して説明する。図１は、実施形態１に係る携帯電子機器の概略構成を示す正面側からみた斜視図であり、図２は、実施形態１に係る携帯電子機器の概略構成を示す正面側からみた分解斜視図であり、図３は、図２に示す携帯電子機器の概略構成を背面側からみた分解斜視図である。実施形態１に係る携帯電子機器１は、防水機能を有するＰＨＳ端末である。携帯電子機器１は、図１、図２及び図３に示すように、筐体２が互いに取り付けられるフロントケース２１とリアケース２２で構成された、所謂ストレート型のＰＨＳ端末である。ここで、本発明では、筐体２の長手方向が長さ方向であり、筐体２の幅方向が幅方向であり、長さ方向と幅方向との双方に直交する方向が厚さ方向である。
【００１５】
筐体２は、偏平な箱状に形成されている。筐体２は、図１、図２及び図３に示すように、携帯電子機器１の正面側に配されるフロントケース２１（第１ケースに相当）と、携帯電子機器１の背面側に配されるリアケース２２（第２ケースに相当）とを備えている。フロントケース２１は、合成樹脂で構成され、枠状の枠状部２３と、箱状の箱状部２４とを一体に備えている。フロントケース２１は、箱状部２４の中央部が透光性の合成樹脂で構成され、他の部分が遮光性の合成樹脂で構成されている。フロントケース２１は、枠状部２３と箱状部２４とが前記長さ方向に並べられている。また、フロントケース２１は、枠状部２３の正面側に操作部カバー３０が取り付けられる。
【００１６】
リアケース２２は、合成樹脂で構成され、枠状の枠状部２５と、箱状の箱状部２６とを一体に備えている。リアケース２２は、枠状部２５と箱状部２６とが前記長さ方向に並べられている。また、リアケース２２は、枠状部２５の背面側に複数の電池カバー２７ａ，２７ｂが取り付けられる。電池カバー２７ａ，２７ｂは、実施形態１では二つ設けられている。二つの電池カバー２７ａ，２７ｂは、リアケース２２の枠状部２５の背面に順に重ねられて、リアケース２２に取り付けられる。なお、リアケース２２の枠状部２５の背面に直接重ねられる一方の電池カバー２７ａと、枠状部２５との間は、防水構造となっている。これにより、リアケース２２は、枠状部２５と電池カバー２７ａとの間に形成される空間に外部から水が入ることを抑制でき、当該空間を防水空間とすることができる。リアケース２２の枠状部２５と電池カバー２７ａとの間の防水構造は、枠状部２５と電池カバー２７ａとの間にパッキン等のシール部材を配置している。
【００１７】
また、筐体２は、フロントケース２１の外縁部とリアケース２２の外縁部とが互いに対向して係合し、これらの間が防水構造３（図４に示す）となっている。これにより、筐体２は、フロントケース２１とリアケース２２との間に形成される空間に外部から水が入ることを抑制でき、当該空間を防水空間とすることができる。なお、フロントケース２１とリアケース２２との間の防水構造３（防水構造）については、後述する。また、実施形態１では、筐体２は、フロントケース２１に設けられた係合爪２８が、リアケース２２に設けられた孔２９に係合することで、フロントケース２１とリアケース２２とが互いに取り付けられる。
【００１８】
また、携帯電子機器１は、図２及び図３に示すように、基体４と、操作パッド５と、電池６などを備えている。基体４と操作パッド５と電池６などは、筐体２に搭載される。基体４は、携帯電子機器１全体の動作をつかさどるものである。基体４は、ベース板４３と、画像を表示する表示装置４１と、操作を受け付ける操作部４２と、各種電子部品を実装した基板４４などを備えている。ベース板４３は、表示装置４１と操作部４２と基板４４や、ＰＨＳ端末として必要な各種機能部品（マイク、レシーバ、スピーカ、カメラなど）を固定している。表示装置４１は、フロントケース２１の箱状部２４の中央部の透明部分を透して、待ち受け画像、メニュー画像等の種々の画像を表示するものであり、例えば、液晶ディスプレイ（ＬＣＤ：Liquid  Crystal  Display）や、有機ＥＬ（Organic  Electro−Luminescence）パネル等を有する表示パネルである。操作部４２は、各種のスイッチ（図示せず）を有するものである。基板４４は、筐体２に内蔵される各種電子部品を実装した、所謂プリント配線板（ＰＷＢ：Printed Wiring Board）である。即ち、携帯電子機器１は、電子部品を備えている。基体４は、操作部４２がフロントケース２１の枠状部２３内に搭載され、表示装置４１がフロントケース２１の箱状部２４内に搭載されて、筐体２の内部に配置される。
【００１９】
操作パッド５は、ユーザの操作を受け付けるためのものである。操作パッド５は、操作される各種の操作キー５１と、操作キー５１を設けた防水シート５２とを備えている。操作パッド５は、操作キー５１が操作部カバー３０に設けられた通し孔３０ａを通して外部に露出されて、フロントケース２１に搭載される。操作キー５１は、操作部４２のスイッチと対応しており、操作を操作部４２の対応するスイッチに伝える。操作キー５１は、例えば、通話相手の電話番号やメール作成時等に文字を入力するための操作キー、表示装置４１に表示されるメニューの選択及び決定や画面のスクロール等を容易に実行するための方向及び決定キー等を含む。また、操作パッド５は、防水シート５２がフロントケース２１の枠状部２３と操作部カバー３０との間に配置されて、フロントケース２１の枠状部２３との間を防水構造とする。
【００２０】
電池６は、携帯電子機器１の電源として機能するものである。電池６は、リアケース２２の枠状部２５内に収容されて、リアケース２２に搭載される。電池６は、電池カバー２７ａにより覆われる。
【００２１】
次に、フロントケース２１とリアケース２２の防水構造３（電子部品を内蔵する筐体の防水構造に相当）について、図面を参照して説明する。図４は、図２に示す携帯電子機器のフロントケースとリアケースの防水構造の概略構成を示す断面図であり、図５は、図４中のＩＶ部を拡大して示す断面図である。
【００２２】
防水構造３は、フロントケース２１とリアケース２２の互いに対向する外縁部に設けられている。防水構造３は、図４及び図５に示すように、リアケース２２の外縁部のフロントケース２１に対向する面２２ａに設けられた溝３１と、フロントケース２１の外縁部のリアケース２２に対向する面２１ａに設けられた凸部３２とを備えている。
【００２３】
溝３１は、リアケース２２の外縁部に全周に亘って設けられている。溝３１は、面２２ａから凹に形成され、断面形状が矩形状あるいは弧状に形成されている。溝３１は、リアケース２２の外側に設けられた外側壁３４と、外側壁３４よりもリアケース２２の内側に設けられた内側壁３５との間に形成されている。外側壁３４と内側壁３５とは、間隔をあけて配置され、互いの間を溝３１としている。フロントケース２１とリアケース２２とが互いに取り付けられると、内側壁３５の上端面３５１が外側壁３４の上端面３４１よりもリアケース２２の面２２ａから離間する。なお、実施形態１では、外側壁３４の上端面３４１がリアケース２２の面２２ａと一致している。内側壁３５の上端面３５１が外側壁３４の上端面３４１よりもリアケース２２の面２２ａから離間することは、内側壁３５が、外側壁３４よりも低いことを示している。なお、実施形態１では、内側壁３５は、外側壁３４よりも若干低い。内側壁３５の高さは、外側壁３４の高さの半分よりも高い。溝３１内には、接着剤３３が塗布される。
【００２４】
接着剤３３は、硬化する前に溝３１内に塗布される。実施形態１では、接着剤３３は、リアケース２２に対して相対移動される吐出口（図示せず）から一定量ずつ吐出されて、溝３１内に塗布される。なお、接着剤３３の吐出口から吐出される一定量及びこの一定量の公差（変動幅に相当）が、携帯電子機器１の設計時などに定められている。
【００２５】
凸部３２は、フロントケース２１の外縁部に全周に亘って設けられている。凸部３２は、面２１ａから凸に形成され、断面形状が矩形状もしくは弧状に形成されている。凸部３２の断面形状は、溝３１の断面形状よりも小さい。凸部３２は、フロントケース２１とリアケース２２とが互いに取り付けられると、溝３１内に侵入して接着剤３３に接触する。凸部３２の先端の溝３１内への侵入深さＨは、溝３１内への接着剤３３の塗布量が前述した一定値よりも公差分下回る場合でも、図５中の下方の二点鎖線で示すように、凸部３２が接着剤３３に接触可能な深さである。なお、侵入深さＨは、フロントケース２１とリアケース２２とが互いに取り付けられた際の外側壁３４の上端面３４１から凸部３２の先端までの距離をいう。また、接着剤３３の一定値よりも公差分下回る塗布量は、接着剤３３の塗布量の変動幅の最小量をいう。
【００２６】
また、溝３１は、内側に塗布された接着剤３３の量が前述した一定値よりも公差分上回る場合でも、図５中の上方の二点鎖線で示すように、接着剤３３を内側壁３５の上端面３５１を超えさせない大きさである。また、接着剤３３の一定値よりも公差分上回る塗布量は、接着剤３３の塗布量の変動幅の最大量をいう。なお、図５中の実線は、接着剤３３の塗布量が前述した一定値である場合の接着剤３３の表面を示している。図５中の一点鎖線は、接着剤３３の塗布量が前述した一定値よりも公差分下回る場合の接着剤３３の表面を示している。図５中の上方の二点鎖線は、接着剤３３の塗布量が前述した一定値よりも公差分上回る場合の接着剤３３の表面を示している。
【００２７】
前述した携帯電子機器１は、以下のように組み立てられる。まず、基体４が、フロントケース２１に内蔵される。リアケース２２に対して相対的に移動する吐出口から接着剤３３が溝３１内に一定量ずつ吐出されて、接着剤３３が溝３１内に塗布される。その後、接着剤３３の硬化前に外縁部の面２１ａ，２２ａが互いに重なるように、フロントケース２１とリアケース２２とが互いに取り付けられる。フロントケース２１とリアケース２２とが互いに取り付けられる際には、接着剤３３が硬化する前であるので、凸部３２が溝３１内に侵入して接着剤３３に接触する。そして、凸部３２は、接着剤３３内にも侵入して、接着剤３３を溝３１の内面に向けて押し付ける。その後、操作パッド５をフロントケース２１の枠状部２３に重ねて、操作部カバー３０をフロントケース２１に取り付ける。さらに、電池６をリアケース２２の枠状部２５内に内蔵して、電池カバー２７ａ，２７ｂをリアケース２２の枠状部２５に取り付ける。
【００２８】
そして、防水構造３は、接着剤３３が硬化すると、接着剤３３が溝３１の内面と凸部３２の表面との双方に密に接触して、フロントケース２１とリアケース２２との間を水密に保つ。防水構造３は、接着剤３３がフロントケース２１とリアケース２２との間に形成される空間に外部から水が入ることを抑制する。また、接着剤３３は、硬化すると、フロントケース２１とリアケース２２とを固定する。
【００２９】
実施形態１に係る携帯電子機器１は、リアケース２２の溝３１内に塗布された接着剤３３に、フロントケース２１に設けられた凸部３２を接触させている。携帯電子機器１は、接着剤３３と凸部３２とにより、フロントケース２１とリアケース２２との間を防水構造３とする。これにより、携帯電子機器１は、吐出口から接着剤３３を溝３１内に塗布して、フロントケース２１とリアケース２２とを取り付けることにより組み立てることができるので、製造時の手間を抑制することができ、簡単に製造することができる。
【００３０】
また、携帯電子機器１は、溝３１内に塗付された接着剤３３の硬化前に、フロントケース２１とリアケース２２とを取り付けて、接着剤３３が硬化することで防水構造３とする。さらに、携帯電子機器１は、凸部３２の溝３１内への侵入深さＨが、溝３１内に塗付される接着剤３３の塗布量が変動幅の最小量であっても、凸部３２が接着剤３３に接触可能な深さである。これにより、携帯電子機器１は、製造後に、接着剤３３とフロントケース２１及びリアケース２２との間に隙間を生じることを抑制でき、フロントケース２１とリアケース２２との間の高い防水機能を維持することができる。したがって、携帯電子機器１は、高い防水機能を維持しつつ、簡単に製造することができる。
【００３１】
［実施形態２］
次に、本発明の実施形態２に係る携帯電子機器を、図面を参照して説明する。図６は、実施形態２に係る携帯電子機器のフロントケースとリアケースの防水構造の概略構成を示す断面図である。なお、図６において、実施形態１と同一部分には、同一符号を付して説明を省略する。実施形態２に係る携帯電子機器１の防水構造３ａは、図６に示すように、溝３１を形成する内側壁３５ａの高さが、外側壁３４の高さの半分よりも低く、内側壁３５ａが外側壁３４よりも低い。また、実施形態２の携帯電子機器１の防水構造３ａは、凸部３２ａの面２１ａからの突出量が、実施形態１よりも小さく、凸部３２ａが、実施形態１より幅広である。
【００３２】
実施形態２に係る携帯電子機器１は、接着剤３３の塗布量が前述した一定量を上回ると、フロントケース２１とリアケース２２とを取り付ける際に、接着剤３３が、図６に示すように、内側壁３５ａの上端面３５１上に乗り上げることがある。
【００３３】
実施形態２に係る携帯電子機器１は、内側壁３５ａが外側壁３４よりも低いので、フロントケース２１とリアケース２２とを取り付ける際に、余剰な接着剤３３を、外側壁３４を越えるよりも先に内側壁３５ａを超えさせてケース２１，２２内に留める。これにより、携帯電子機器１は、接着剤３３が外側壁３４を超えてケース２１，２２外に吐出することを抑制することができ、高い防水機能を維持しつつ簡単に製造することができることにくわえ、美観を損ねることを抑制することができる。
【００３４】
［実施形態３］
次に、本発明の実施形態３に係る携帯電子機器を、図面を参照して説明する。図７は、実施形態３に係る携帯電子機器のフロントケースとリアケースの防水構造の概略構成を示す断面図である。なお、図７において、実施形態１及び実施形態２と同一部分には、同一符号を付して説明を省略する。実施形態３に係る携帯電子機器１の防水構造３ｂでは、図７に示すように、溝３１を形成する内側壁３５は、当該内側壁３５を貫通した貫通孔３６が設けられている。貫通孔３６は、溝３１の長手方向に間隔をあけて複数設けられている。
【００３５】
実施形態３に係る携帯電子機器１は、溝３１内に塗付される接着剤３３が、フロントケース２１とリアケース２２とを取り付ける際に、凸部３２から押されて、図７に示すように、内側壁３５に設けられた貫通孔３６内に侵入することがある。
【００３６】
実施形態３に係る携帯電子機器１は、内側壁３５に貫通孔３６が設けられているので、フロントケース２１とリアケース２２とを取り付ける際に、余剰な接着剤３３を、外側壁３４を越えるよりも先に貫通孔３６内に侵入させてケース２１，２２内に留める。これにより、携帯電子機器１は、接着剤３３が外側壁３４を超えてケース２１，２２外に吐出することを抑制することができ、高い防水機能を維持しつつ簡単に製造することができることにくわえ、美観を損ねることを抑制することができる。
【００３７】
［実施形態４］
次に、本発明の実施形態４に係る携帯電子機器を、図面を参照して説明する。図８は、実施形態４に係る携帯電子機器のフロントケースとリアケースの防水構造の概略構成を示す断面図である。なお、図８において、実施形態１から実施形態３と同一部分には、同一符号を付して説明を省略する。実施形態４に係る携帯電子機器１の防水構造３ｃは、図８に示すように、内側壁３５ａの高さが、実施形態２と同様に外側壁３４の高さの半分よりも低く、内側壁３５ａが、外側壁３４よりも低い。また、実施形態４に係る携帯電子機器１の防水構造３ｃは、凸部３２の面２１ａからの突出量が、実施形態１と同等である。
【００３８】
実施形態４に係る携帯電子機器１は、接着剤３３の塗布量が前述した一定量を上回ると、フロントケース２１とリアケース２２とを取り付ける際に、接着剤３３が、図８に示すように、内側壁３５ａの上端面３５１上に乗り上げることがある。
【００３９】
実施形態４に係る携帯電子機器１は、内側壁３５ａが外側壁３４よりも低いので、フロントケース２１とリアケース２２とを取り付ける際に、余剰な接着剤３３を、外側壁３４を越えるよりも先に内側壁３５ａを超えさせてケース２１，２２内に留める。これにより、携帯電子機器１は、接着剤３３が外側壁３４を超えてケース２１，２２外に吐出することを抑制することができ、高い防水機能を維持しつつ簡単に製造することができることにくわえ、美観を損ねることを抑制することができる。
【００４０】
［実施形態５］
次に、本発明の実施形態５に係る携帯電子機器を、図面を参照して説明する。図９は、実施形態５に係る携帯電子機器のフロントケースとリアケースの防水構造の概略構成を示す断面図である。なお、図９において、実施形態１から実施形態４と同一部分には、同一符号を付して説明を省略する。実施形態５に係る携帯電子機器１の防水構造３ｄでは、凸部３２ｂの表面のうちのフロントケース２１の内側寄りの表面３２１は、面２１ａに近づくにしたがって徐々にフロントケース２１の内側に向かう方向に傾斜している。凸部３２ｂの表面３２１は、面２１ａ，２２ａと平行な方向と、面２１ａ，２２ａに直交する方向との双方に対して傾斜している。
【００４１】
実施形態５に係る携帯電子機器１は、フロントケース２１とリアケース２２とを取り付ける際に、接着剤３３が、図９に示すように、表面３２１上を移動して、フロントケース２１の内側に案内される。
【００４２】
実施形態５に係る携帯電子機器１は、凸部３２ｂのフロントケース２１の内側寄りの表面３２１が面２１ａに近づくにしたがって徐々にフロントケース２１の内側に向かう方向に傾斜している。これにより、携帯電子機器１は、フロントケース２１とリアケース２２とを取り付ける際に、接着剤３３が表面３２１によりケース２１，２２の内側に向けて案内される。したがって、携帯電子機器１は、接着剤３３が外側壁３４を超えてケース２１，２２外に吐出することを抑制することができ、美観を損ねることを抑制することができる。
【００４３】
なお、本発明は上記実施形態に限定されるものではない。即ち、本発明の骨子を逸脱しない範囲で種々変形して実施することができる。
【００４４】
たとえば、前述においては、電子部品を内蔵する筐体の防水構造の一例としてＰＨＳ（Ｐｅｒｓｏｎａｌ  Ｈａｎｄｙ−ｐｈｏｎｅ  Ｓｙｓｔｅｍ）端末等の携帯電子機器を例に説明したが、上記防水構造は、ＰＨＳ端末等の携帯電子機器に限定されるものではなく、例えば、携帯電話機、ＰＤＡ、ポータブルナビゲーション装置、ノートパソコン、ゲーム機、ビデオカメラ、時計等の電子機器、もしくは、ＣＣＤセンサやＣＭＯＳセンサを内蔵した撮像モジュール、マイクやスピーカを内蔵した音響モジュールであってもよい。
【００４５】
以下、具体的に、撮像モジュールについて説明する。図１０は、撮像モジュール５００の分解斜視図である。撮像モジュール５００は、第１ケース５０１と第２ケース６０１とによって当該モジュールの筐体が構成される。そして、第１ケース５０１は枠状の凸部５０２を有し、第２ケース６０１は前記凸部５０２と対向する位置に溝６０２を有する。さらに、前記溝５０２には接着剤が塗布され、凸部５０２は、前記第１ケース５０１と第２ケース６０１とが取り付けられると、前記溝６０２内に侵入して前記接着剤に接触する。また、撮像素子７００から出力される信号を送出する信号ケーブルや、当該撮像素子に電力を供給する電源ケーブル等が纏められたケーブル９００が、筐体の内部から外部に水密状態を維持したまま引き出されている。
【００４６】
このように撮像モジュールの筐体が構成されることによって、防水パッキンを溝に嵌め込む従来技術に比べて製造を簡素化することができる。
【００４７】
ところで、このような撮像モジュール５００は、自動車等の乗り物に搭載される場合、振動を受け易い環境下に配されることとなる。しかしながら、本願発明の構成に加え、凸部５０２を溝内部の接着剤に埋入させることにより、第１ケース５０１と第２ケース６０１との間の固着は、振動に起因する横方向（第１ケース５０１と第２ケース６０１とが積層する方向に直交する方向）へのずれに対して強くなるため、結果として防水性が損なわれにくくなる。
【００４８】
上述の構成について、図１１を用いて詳細に説明する。図１１は、図１０に示された撮像モジュールの第１ケース５０１と第２ケース６０１との接合部分の断面図である。なお、図１１は、説明のために、第１ケース５０１と第２ケース６０１とが組み立てられる直前の様子を示しており、第１ケースと５０１と第２ケース６０１とが固着されて一つの筐体を構成する際には、外壁部６１１の上面６１１ａと、第１ケース５０１の前記上記６１１ａと対向する面である上面５１１ａとは当接し、溝６０２に塗布された接着剤３３に凸部５０２が埋入する。
【００４９】
第２ケース６０１は、第１ケース５０１と固着される箇所に、筐体外側面を形成する外壁部６１１と、筐体内側面を形成する内壁部６１２と、これら外壁部６１１および内壁部６１２とに囲まれた箇所に溝６０２と、を有する。溝部６０２の底部６０２ａからの外壁部６１１の高さは、溝部６０２の底部６０２ａからの内壁部６１２の高さよりも低くなるように構成されている。
【００５０】
つまり、第１ケース５０１と第２ケース６０１とが組み立てられる際には、前述したように、外壁部６１１の上面６１１ａと、第１ケース５０１の上面５１１ａとは当接するものの、内壁部６１２の上面６１２ａと第１ケース５０１の上面５１２ａとは当接せずに隙間が生じる。
【００５１】
したがって、第１ケース５０１と第２ケース６０１が組み立てられることにより、凸部５０２が接着剤３３に埋入することによって押し出された接着剤３３は、たとえ溝６０２から溢れ出てしまったとしても、外壁部６１１から外側にあふれずに、内壁部６１２から内側にあふれるために、接着剤によって外観が損なわれる虞を抑制することが出来る。
【００５２】
さらに、第１ケース５０１と第２ケース６０１とからなる筐体内には、レンズ７０１を備える撮像素子７００が実装される。また、第１ケース５０１または第２ケース６０１のいずれかには、撮像素子７００のレンズ７０１が臨む撮像窓８０１が接着剤によって固定されている。
【００５３】
たとえば、前述の撮像モジュール５００においては、撮像窓８０１が筐体（第１ケース５０１または第２ケース５０２）に取り付けられる。本実施形態では、撮像窓８０１は、第１ケース５０１に取り付けられるものとする。そして、第１ケース５０１は、撮像窓８０１が配される箇所に枠状の凸部５０３を有し、撮像窓８０１は前記凸部５０３と対向する位置に溝８０２を有する。さらに、前記溝８０２には接着剤が塗布され、凸部５０３は、前記第１ケース５０１と第２ケース６０１とが取り付けられると、前記溝８０２内に侵入して前記接着剤に接触する。
【００５４】
このように、撮像窓８０１と筐体とは、凸部５０３、溝８０２および当該溝８０２に塗布された接着剤によって、防水パッキンを用いることなく製造を簡単にすることが出来る。
【００５５】
さらに、本撮像モジュール５００は、前述したように、自動車等の乗り物に搭載される場合があるものの、撮像部８０１と第１ケース５０１との間の固着は、振動に起因する横方向（撮像窓８０１と第１ケース５０１とが積層する方向に直交する方向）へのずれに対して強くなるため、結果として防水性が損なわれにくくなる。
【００５６】
上述の構成について、図１２を用いて詳細に説明する。図１２は、図１０に示された撮像モジュールの第１ケース５０１と撮像窓８０１との接合部分の断面図である。なお、図１２は、説明のために、第１ケース５０１と撮像窓８０１とが組み立てられる直前の様子を示しており、第１ケース５０１に撮像窓８０１が固着される際には、撮像窓８０１の外壁部８１１の上面８１１ａと、第１ケース５０１の前記上記６１１ａと対向する面である上面５１１ａとは当接し、溝８０２に塗布された接着剤３３に凸部５０２が埋入する。
【００５７】
撮像窓８０１は、第１ケース５０１と固着される箇所に、撮像窓８０１の縁を形成する外縁部８１１と、撮像窓８０１の中央部を形成する内面部８１２と、これら外縁部８１１および内面部８１２とに囲まれた箇所に溝８０２と、を有する。溝部８０２の底部８０２ａからの外縁部８１１の高さは、溝部８０２の底部８０２ａからの内面部８１２の高さよりも低くなるように構成されている。
【００５８】
つまり、第１ケース５０１に撮像窓８０１が組み立てられる際には、前述したように、外縁部８１１の上面８１１ａと、第１ケース５０１の上面８１１ａとは当接するものの、内面部８１２の上面８１２ａと第１ケース５０１の上面８１２ａとは当接せずに隙間が生じる。
【００５９】
したがって、第１ケース５０１に撮像窓８０１が組み立てられることにより、凸部５０３が接着剤３３に埋入することによって押し出された接着剤３３は、たとえ溝８０２から溢れ出てしまったとしても、外縁部８１１から外側にあふれずに、内面部８１２から内側にあふれるために、接着剤によって外観が損なわれる虞を抑制することが出来る。
【符号の説明】
【００６０】
１  携帯電子機器
２  筐体
３  防水構造（電子部品を内蔵する筐体の防水構造）
２１  フロントケース（第１ケース）
２２  リアケース（第２ケース）
２１ａ，２２ａ  面
３１，６０２  溝
３２，５０２  凸部
３３  接着剤
３４  外側壁
３５  内側壁
３６  貫通孔
３２１  内側寄りの表面
５０１  第１ケース
６０１  第２ケース
Ｈ  侵入深さ
【図１】
2014086644.tif 000003
【図２】
2014086644.tif 000004
【図３】
2014086644.tif 000005
【図４】
2014086644.tif 000006
【図５】
2014086644.tif 000007
【図６】
2014086644.tif 000008
【図７】
2014086644.tif 000009
【図８】
2014086644.tif 000010
【図９】
2014086644.tif 000011
【図１０】
2014086644.tif 000012
【図１１】
2014086644.tif 000013
【図１２】
2014086644.tif 000014